(57)【要約】      （修正有）【課題】電解ユニットの電流が水流に影響されない電解装置を提供する。【解決手段】電解装置１０の底部には電解ユニット１１が設置され、且つ電解ユニット１１の上方には、水流が電解ユニット１１に直接衝突して電解ユニット１１の電流に影響を与える事態を防止させるためのストッパー部材１２が設置され、更に電解反応の効率をも高める。電解装置１０には、電解ユニット１１が発生させるガスが水流に流されるための開口部１３が設けられる。【選択図】図１Ｂ
0003205896.tif 000002
【実用新案登録請求の範囲】
【請求項１】
電解装置の底部には電解ユニットが設置され、
前記電解ユニットの上方には、水流が前記電解ユニットに直接衝突して前記電解ユニットの電流に影響を与える事態を防止させるためのストッパー部材が設置され、
前記電解装置には前記電解ユニットが発生させるガスが前記水流に流される開口部が設けられることを特徴とする、
電流が流れに影響されない電解装置。
【請求項２】
前記電解装置は更に、動的な流れを有する管路に直接連結され、且つ前記ストッパー部材により水流が前記電解ユニットに直接衝突する事態が防止されることを特徴とする、請求項１に記載の電流が流れに影響されない電解装置。
【請求項３】
前記電解装置には、前記ストッパー部材により第一水域及び第二水域が形成されることを特徴とする、請求項１に記載の電流が流れに影響されない電解装置。
【請求項４】
前記電解装置は更に、吸水管路、排水管路、及び水流を有する容器が互いに連通され、前記容器中の水流が前記吸水管路から前記第一水域中に流入されると共に前記第二水域の電解ユニットが発生させるガスと混合され、最後に、前記排水管路から前記容器に回流されることを特徴とする、請求項３に記載の電流が流れに影響されない電解装置。
【請求項５】
前記吸水管路の吸水口及び前記排水管路の排水口は対応し合うように設置され、前記水流により渦巻きが発生し、且つ前記水流中でのガス濃度が上昇することを特徴とする、請求項４に記載の電流が流れに影響されない電解装置。
【請求項６】
前記開口部は前記ストッパー部材に更に設置され、前記電解ユニットが発生させるガスが前記第二水域から前記第一水域に流されることを特徴とする、請求項３に記載の電流が流れに影響されない電解装置。
【請求項７】
前記ストッパー部材の下方にはガスガイド部が更に設けられ、前記電解ユニットが発生させるガスが前記ストッパー部材の下方に蓄積するのを回避させることを特徴とする、請求項１または６に記載の電流が流れに影響されない電解装置。
【請求項８】
前記ガスガイド部は斜角或いは弧状であることを特徴とする、請求項７に記載の電流が流れに影響されない電解装置。
【考案の詳細な説明】
【技術分野】
【０００１】
本考案は、ストッパー部材により水流が電解ユニットに直接衝突して電解ユニットの電流に影響を及ぼす事態を防止させる、電流が流れに影響されない電解装置に関する。
【背景技術】
【０００２】
現在多くの研究で指摘されるように、水素は様々な医学及び保健分野で有効的に運用されている。人間が少量の水素を吸収すると、選択的に抗酸化作用が発生し、毒性を有する遊離基が中和されるので、糖尿病、器官の損傷、脳梗塞、放射線治療による損傷、老年性痴呆症、卒中、高血圧、癌等の様々な疾病の治療に用いられる。このため、現在では水素を発生させる水素水生成器が発展し、その中の電解装置を使用して水に電解反応を行って水素及び酸素を発生させている。
【考案の概要】
【考案が解決しようとする課題】
【０００３】
しかしながら、前述した従来の電解装置は、電極片の陽極及び陰極の間でショートが発生しないように、通常は隔離板が設置されて、陽極及び陰極の電極片を隔離させている。しかし、電解装置が水流がある容器に入れられると、水流により電極片の電流がドリフトを起こし、電解反応の効率に影響を与え、効率が低下した。そこで、本考案者は上記の欠点が改善可能と考え、鋭意検討を重ねた結果、合理的設計で上記の課題を効果的に改善する本考案の提案に到った。
【０００４】
本考案は、このような従来の問題に鑑みてなされたものである。上記課題解決のため、本考案は、ストッパー部材により水流が電解ユニットに直接衝突して電解ユニットの電流に影響を与える事態を防止させて、電解反応の効率を高める、電流が流れに影響されない電解装置を提供することを主目的とする。
【課題を解決するための手段】
【０００５】
上述した課題を解決し、目的を達成するための、本考案に係る電流が流れに影響されない電解装置は、電解装置の底部には電解ユニットが設置され、且つ前記電解ユニットに対する上方には水流が前記電解ユニットに直接衝突して前記電解ユニットの電流に影響を与える事態を防止させるためのストッパー部材が設置され、前記電解装置には前記電解ユニットが発生させるガスが前記水流に流される開口部が設けられる。
【０００６】
前述した電流が流れに影響されない電解装置において、前記電解装置は更に、動的な流れを有する管路に直接連結され、且つ前記ストッパー部材により水流が前記電解ユニットに直接衝突する事態が防止される。
【０００７】
前述した電流が流れに影響されない電解装置において、前記電解装置には、前記ストッパー部材により第一水域及び第二水域が形成される。
【０００８】
前述した電流が流れに影響されない電解装置において、前記電解装置は更に、吸水管路、排水管路、及び水流を有する容器が互いに連通され、前記容器中の水流が前記吸水管路から前記第一水域中に流入されると共に前記第二水域の電解ユニットが発生させるガスと混合され、最後に、前記排水管路から前記容器に回流される。
【０００９】
前述した電流が流れに影響されない電解装置において、前記吸水管路の吸水口及び前記排水管路の排水口は対応し合うように設置され、前記水流により渦巻きが発生し、且つ前記水流中でのガス濃度が上昇する。
【００１０】
前述した電流が流れに影響されない電解装置において、前記開口部は前記ストッパー部材に更に設置され、前記電解ユニットが発生させるガスが前記第二水域から前記第一水域に流される。
【００１１】
前述した電流が流れに影響されない電解装置において、前記ストッパー部材の下方にはガスガイド部が更に設けられ、前記電解ユニットが発生させるガスが前記ストッパー部材の下方に蓄積するのを回避させる。
【００１２】
前述した電流が流れに影響されない電解装置において、前記ガスガイド部は斜角或いは弧状である。
【考案の効果】
【００１３】
本考案は、ストッパー部材により水流が電解ユニットに直接衝突して電解ユニットの電流に影響を与える事態を防止させ、電解反応の効率を高める。
【図面の簡単な説明】
【００１４】
【図１Ａ】本考案の第１実施形態による電流が流れに影響されない電解装置を示す外観斜視図である。
【図１Ｂ】図１Ａの断面図である。
【図２Ａ】本考案の第２実施形態による電流が流れに影響されない電解装置を示す外観斜視図である。
【図２Ｂ】図２Ａの断面図である。
【考案を実施するための形態】
【００１５】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１６】
（第１実施形態）
図１Ａは本考案の第１実施形態による電流が流れに影響されない電解装置を示す外観斜視図であり、図１Ｂは図１Ａの断面図である。
本考案に係る電流が流れに影響されない電解装置１０は、前記電解装置１０の底部には電解ユニット１１が設置され、且つ前記電解ユニット１１に対する上方には水流が前記電解ユニット１１に直接衝突して前記電解ユニット１１の電流に影響を与える事態を防止させるためのストッパー部材１２が設置される。
前記電解装置１０には、前記電解ユニット１１が発生させるガスが前記水流に流される開口部１３が設けられる。前記電解装置１０は更に動的な流れを有する管路２０に直接連結され、且つ前記ストッパー部材１２により水流が前記電解ユニット１１に直接衝突する事態が防止される。この方式により、前記電解ユニット１１が電解作用を発生させる際の電流が保持され、電解作用の効率が向上する。
【００１７】
（第２実施形態）
図２Ａは本考案の第２実施形態による電流が流れに影響されない電解装置を示す外観斜視図であり、図２Ｂは図２Ａの断面図である。
本考案に係る電解装置１０は、前記ストッパー部材により第一水域１０１及び第二水域１０２が形成される。本考案は吸水管路３１、排水管路３２、及び水流を有するバスタブ、洗面器等（図示せず）が互いに連通され、前記容器中の水流が前記吸水管路３１から前記第一水域１０１に流入されると共に前記第二水域１０２の電解ユニット１１が発生させるガスと混合され、最後に、前記排水管路３２から前記容器に回流され、同時に水の循環が形成される。
前記吸水管路３１の吸水口３１１及び前記排水管路３２の排水口３２１は対応し合うように設置され、前記水流が前記第一水域１０１で渦巻きを発生させて、前記水流中でのガス濃度が上昇する。また、前記開口部１３は前記ストッパー部材１２に更に設置されて、前記電解ユニット１１が発生させるガスが前記第二水域１０２から前記第一水域１０１に流される。
【００１８】
第１実施形態か第２実施形態かによらず、前記ストッパー部材１２の下方にはガスガイド部１２１が更に設けられ、前記電解ユニット１１が発生させるガスが前記ストッパー部材１２の下方に蓄積するのを回避させる。前記ガスガイド部１２１は斜角、弧状、或いは他の形式である。
【００１９】
上述のように、本考案は電流が流れに影響されない電解装置を確実に提供し、ストッパー部材により水流が電解ユニットに直接衝突して電解ユニットの電流に影響を与える事態を防止させ、電解反応の効率を高める。
【００２０】
本明細書に開示された実施例は、本考案を限定するものではなく、説明するためのものであり、このような実施例によって本考案の思想と範囲が限定されるものではない。本考案の範囲は請求の範囲により解釈すべきであり、それと同等の範囲内にある全ての技術は、本考案の権利範囲に含まれるものと解釈すべきである。
【符号の説明】
【００２１】
１０    電流が流れに影響されない電解装置
１０１  第一水域
１０２  第二水域
１１    電解ユニット
１２    ストッパー部材
１２１  ガスガイド部
１３    開口部
２０    動的な流れを有する管路
３１    吸水管路
３１１  吸水口
３２    排水管路
３２１  排水口
【図１Ａ】
0003205896.tif 000003
【図１Ｂ】
0003205896.tif 000004
【図２Ａ】
0003205896.tif 000005
【図２Ｂ】
0003205896.tif 000006